(57)【要約】      （修正有）【課題】「特に、ベッド療養生活をする人たちに、その人の療養状態に応じた身体全体の“ねじりストレッチ効果”を甘受させたい」を達成した簡単構成のベッドを提供する。【解決手段】寝床マット２００は、回転傾動可能にした上傾動フレーム２０２と、下傾動フレーム２０１と、この上・下傾動フレーム間を回転軸２０３，２０４で連結し、上傾動フレームと下傾動フレームを単独又は同時に任意の方向に回転傾動させる回転傾動駆動機構を設けてねじれマット式ベッドを構成する。【選択図】図２
0003147011.tif 000002
【実用新案登録請求の範囲】
【請求項１】
ベッド基台に  矩形の寝床マットを設けたベッドにおいて、寝床マットの枠フレームは、上半身を乗せる上傾動枠フレームと、下半身を乗せる下傾動枠フレームに分割し、この上・下傾動枠フレームは、隣接側の中央部を回転可能に軸支し且つこの軸支部に向けて狭幅に形成し、上・下傾動枠フレームが狭幅になる外側間を、一対のパイプの中央部を回転伸縮摺動自在に嵌合し両端部に回転自在継手を有する複数のパイプ式伸縮縦フレームで連結して構成し、又、上傾動枠フレームと、下傾動枠フレームは、その端部フレームの中央部をベッド基台に回転傾動可能に装着し、上傾動枠フレームと下傾動枠フレームを回転傾動させる回転傾動駆動機構を設けたことを特徴とするねじれマット式ベッド。
【請求項２】
前記パイプ式伸縮縦フレームの回転自在継手をボールジョイント又はユニバーサルジョイントにしたことを特徴とする請求項１に記載のねじれマット式ベッド。
【請求項３】
前記回転傾動駆動機構は、ベッド長手方向に亘る回転駆動軸の両端部に円盤クランクを設け、この円盤クランクを回転自在に収容し円盤クランクの転動で左右に揺動するクランクボックスを上・下傾動枠フレームの端部中央部に固定し、円盤クランクと回転駆動軸とは円盤クランクの円心から半径方向の任意の位置に固定・解除可能に装着したことを特徴とする請求項１に記載のねじれマット式ベッド。
【請求項４】
ベッドの枕部枠を回勅自在に設け、その枕部に上下に移動して枕高さを可変する枕高さ調節機構を付設したことを特徴とする請求項１に記載のねじれマット式ベッド。
【請求項５】
上傾動枠フレームの内側に、複数個のコロを回転自在に配置したことを特徴とする請求項１に記載のねじれマット式ベッド。
【考案の詳細な説明】
【技術分野】
【０００１】
本考案は、ねじれマット式ベッドに関するものである。
【背景技術】
【０００２】
自力で身動きが殆どできない状態でベッド療養される寝たきり老人のために、寝たままの
姿で、無理にならない範囲で姿勢を変化させて効果のあるねじれ運動ができるベッドを本考案者は間発した。
従来、病入用のベッドとして紹介されているものは、特許文献１〜特許文献３などに見られるように、大掛かりで複雑な機構にした田上半身のみを所定角度起こすタイプの二つ折ベッド(特許文献T[と2)。(2)上半身と下肢の上・下脚毎に分割して適宜な角度に調節する三つ折ベッド(特許文献３)等が主流を占めている。
【０００３】
しかしこれらの折畳式ベッドは、身体をねじることができない。身体全体を適宜に、ねじりストレッチすることは身体の体液の循環機能と筋肉の活性化、気分転換などの健康維持に好ましい効果が得られることは周知であるが、ベッド療養生活をする人たちにも寝ながらにしてこのねじりストレッチ効果を甘受させたい。
＜過去２０年間で「折畳式ベッド」を紹介の公開公告公報からの抜粋＞
【特許文献１】特開2008-136780号公報
【特許文献２】特間2007一190366号公報
【特許文献３】時間2007-613旧号公報
【考案の開示】
【考案が解決しようとする課題】
【０００４】
本考案の主な課題は、寝床マットを簡単な構成で、しかも寝床マットをウエスト又はヒップを中心にした、あらゆる傾斜角度に刺激感度のない緩やかで円滑にねじれ回転させることを可能にし、一般健常者の健康促進は勿論のこと、前述した本考案者の思い「ベッド療養生活をする人たちに、その人の療養状態に応じた身体全体の“ねじりストレッチ効果"を甘受させたい」を達成した「ねじれマット式ベッド」を提供するものである。
【課題を解決するための手段】
【０００５】
上記課題を満足させる本考案の基本的な技術構成は、次の(1)〜(5)の通りである。
(1)、ベッド基台に  矩形の寝床マットを設けたベッドにおいて、寝床マットの枠フレームは、上半身を乗せる上傾動枠フレームと、下半身を乗せる下傾動枠フレームに分割し、この上・下傾動枠フレームは、隣接側の中央部を回転可能にし且つこの軸支部に向けて狭幅に形成し、上・下傾動枠フレームが狭幅になる外側間を、一対のパイプの中央部を回転伸縮摺動自在に嵌合し両端部に回転自在継手を有する複数のパイプ式伸縮縦フレームで連結して構成し、又、上傾動枠フレームと、下傾動枠フレームは、その端部フレームの中央部をベッド基台に回転傾動可能に装着し、上傾動枠フレームと下傾動枠フレームを回転傾動させる回転傾動駆動機構を設けたことを特徴とするねじれマット式ベッド。
(2)、前記パイプ式伸縮縦フレームの回転自在継手をボールジョイント又はユニバーサルジョイントにしたことを特徴とする前記(1)に記載のねじれマット式ベッド。
(3)、前記回転傾動駆動機構は、ベッド長手方向に亘る回転駆動軸の両端部に円盤クランクを設け、この円盤クランクを回転自在に収容し円盤クランクの転動で左右に揺動するクランクボックスを上・下傾動枠フレームの端部中央部に固定し、円盤クランクと回転駆動軸とは円盤クランクの円心から半径方向の任意の位置に固定・解除可能に装着したことを特徴とする前記(1)に記載のねじれマット式ベッド。
(4)、ベッドの枕部枠を回勅自在に設け、その枕部に上下に移動して枕高さを可変する枕高さ調節機構を付設したことを特徴とする前記(1)に記載のねじれマット式ベッド。
(5)、上傾動枠フレームの内側に、複数個のコロを回転自在に配置したことを特徴とする前記(1)に記載のねじれマット式ベッド。
【考案の効果】
【０００６】
本考案の「ねじれマット式ベッド」は、主に前記の堅牢な分割型にし分割部分を単独で傾動方向を任意に設定可能にした前記上・下傾動枠フレームを主構成とするものである。即ちパイプ式伸縮縦フレームと、円盤クランク式の回転傾動駆動機構とにより、上・下傾動枠フレームを同時にしかも回転傾動速度を個別に設定して、あらゆる傾斜角度に刺激感度のない緩やかで円滑なねじり回動を行わしめるものである。
このねじれマット式ベッドにより、寝ながらにしてウエスト又はヒップを中心にした多種多様のダイエット用ねじれストレッチ運動を総括し、肥備考の減量促進、健常者のスリム化と美容促進、内脂肪の除去、一般考の健康促進など幅広い範囲に亘って応用することができるものである。
そして、これ等の効果により、前述した本考案者の思い「特に、ベッド療養生活をする人たちに、その人の療養状態に応じた身体全体のストレッチ効果を甘受させたい」を有利に優しく達成したものである。
【考案を実施するための最良の形態】
【０００７】
本考案を実施するための最良の形態は、次に紹介する実施例により詳細に説明する。
【実施例１】
【０００８】
図１〜図４において、本例のマット式ベッド100は、脚部101とベッド基台102と寝床マット200と脚部用又は肩から頭部を載せての傾斜起し部とする折り畳み枠400（収容と延床用）を設けてある。
寝床マット200は、ヒップから下の下半身を乗せる三角形の下傾動フレーム201と、ヒップから上の上半身を乗せる略逆三角形の上傾動フレーム202と、この上・下傾動枠フレームの外側問に設けた複数のパイプ式伸縮縦フレーム210とから構成してある。
下傾動フレーム201と、上傾動フレーム202は、隣接側の狭幅部の中央部つまりヒップ部に当たる部分をベッド基台102の上に固定した軸受け250に装着したにより回転自在に連結してある。この軸受け250と回転軸251は一体物にしているが別体でもよい。
又、下傾動フレーム201と、上傾動フレーム202は、端部の中央部を回転軸203、204によりベッド基台102に回転傾動可能に装着する。
【０００９】
上・下傾動枠フレームが狭幅になる外側間を、複数のパイプ式伸縮縦フレーム210で連結する。パイプ式伸縮縦フレーム210は、一対のパイプ211、212の中央部を回転伸縮摺動自在に嵌合し両端部を十字軸231-1、232-1を有するユニバーサルジョイント（回転自在継手）231、232を介して当該傾動枠フレーム201、202の側部に接続する。
上傾動フレーム202の枠フレーム内には、複数個のコロ260を回転自在に配置して上半身を押し圧マッサージする。
通常使用の際は、下傾動フレーム201と上傾動フレーム202とパイプ式伸縮縦フレーム210の上に、敷布団、ウレタンマット、ラバーマット等の敷物を敷いて利用するが、省略してある。
勿論敷物なしで直接身体を載せても差し支えない。この際はヒップ部に当たる部分には、挟まれないように適宜な安全カバーを覆設すればよい。
下傾動フレーム201と、上傾動フレーム202は、隣接側の狭幅部の中央部つまりヒップに当たる部分をベッド基台102の上に固定した軸受け250に装着した回転軸251により回転自在に連結してある。
【００１０】
下傾動フレーム201と上傾動フレーム202を回動傾動させる回転傾動駆動機構300は、ベッド基台102に電動モータ301と歯車減速機構302を搭載し、歯車減速機構302からの回転駆動軸303をベッド長手方に亘らせ、その両端部に円盤クランク304、305を装着し、この円盤クランク304、305をクランクボックス306、307内に収容し、潤滑メタル306-1,307-1で回転自在に保持され、前記クランクボックス306、307の上部を当該傾動フレーム201、202の中央下部に固定したものである。これで円盤クランク304、305の回転で下傾動フレーム201と上傾動フレーム202は左右に揺動される。
尚、下傾動フレーム201と上傾動フレーム202を回動傾動させる回転傾動駆動機構は、本例に限ることはなく、各フレーム毎に電動モータ式傾動装置、空気・油圧式のピストンシリンダー傾動装置、ラックピニオン式傾動装置等、適宜な回転傾動駆動機構を採用することができる。
【００１１】
円盤クランク304、305と回転駆動軸301との装着は、円盤クランクの円心から半径方向に長穴304-1、305-1を設けその任意の位置に回転駆動軸303を位置させて回転駆動軸303の外に螺合した締め螺子308、309の回転により、中央部で離間可能に螺合したクランプ板等で円盤クランク自体を扶持固定し且つその解除をするものであり、これで長穴の半径方向位置と、回転駆動軸303との回転角度位置を利用者の利用目的や好みに応じて任意に容易に変更することを可能にしたものである。
【００１２】
つまり、この装着機構により、下傾動フレーム201と上傾動フレーム202に対する傾斜状態は、例えば円盤クランクと回転駆動軸との接合位置を一方のみを円盤クランクの円心に一固定すれば他方を単独で左右に傾斜させて伸縮縦フレーム210をねじり傾斜させることができる、又円盤クランクと回転駆動軸との接合位置の両方を円盤クランクの円心から偏位させ回転駆動軸との回転角度位置関係を同じにすれば両方を同時に同一方向に同じ傾斜角度に傾斜させて伸縮縦フレーム210を単純傾斜させることができ、又回転駆動軸に対する回転角度位置関係を180度にすれば図３の（2）に示す如く、下傾動フレーム201と上傾動フレーム202の両方を同時に逆方向に傾斜させて伸縮縦フレーム210を大きくねじり傾斜させることができる、更にこの下傾動フレーム201及び又は上傾動フレーム202の傾斜角度は円盤クランクの円心から回転駆動軸301の偏位量を変えることで個別に調節することができる等の優れた機構である。
【００１３】
一方、ベッド基台102の上端には、軸機構410により脚部用の又は逆姿勢で利用した際の、肩から頭部に亘る部分を位置させて起こし傾斜させる折り畳み枠400を折り畳み回動自在に設ける。
折り畳み枠400のマット401には、脚部用にする場合には、横スライドバー402にスライド自在に支持した足枕部403を設けてある。これで利用者は寝床マット200により上半身と下半身がねじられ乍ら脚部が左右に横揺れされる。
足枕部403の位置調節は、横スライドバー402の両側を長穴部404に通し、ダイヤルハンドル405で長穴部404の任意の位置に固定することとその解除により行うようにしてある。
【実施例２】
【００１４】
実施例２のマット式ベッド100は図５に示し、実施例１に比し、寝床マット200の下傾動フレーム201と上傾動フレーム202を身体の乗せる相対位置関係を若干変更し、折り畳み枠400を変形したものである。その他の部分は、実施例１と同一のため側面図は省略し、実施例１と同一又は類似部位には同一符号を付してある。
図５において、本例のマット式ベッド100は、脚部101とベッド基台102と寝床マット200と脚部用又は肩から頭部に亘る部分を載せての傾斜起し部とする折り畳み枠400（収容と延床用）を設けてある。
寝床マット200は、ウエストから下の下半身を乗せる三角形の下傾動フレーム201と、ウエストから上の上半身を乗せる略逆三角形の上傾動フレーム202と、この上・下傾動枠フレームの外側問に設けた複数のパイプ式伸縮縦フレーム210とから構成してある。
下傾動フレーム201と、上傾動フレーム202は、隣接側の狭幅部の中央部つまりウエストに当たる部分をベッド基台102の上に固定した軸受け250に装着した回転軸251により回転自在に連結してある。
又、下傾動フレーム201と、上傾動フレーム202は、端部の中央部を回転軸203、204によりベッド基台102に回転傾動可能に装着する。
【００１５】
上・下傾動枠フレームが狭幅になる外側間を、複数のパイプ式伸縮縦フレーム210で連結する。パイプ式伸縮縦フレーム210は、一対のパイプ211、212の中央部を回転伸縮摺動自在に嵌合し両端部を十字軸231-1、232-1を有するユニバーサルジョイント（回転自在継手）231、232を介して当該傾動枠フレーム201、202の側部に接続する。
上傾動フレーム202の枠フレーム内には、複数個のコロ260を回転自在に配置して上半身を押し圧マッサージする。
【００１６】
各実施例には記載していないが、下傾動フレーム201と、上傾動フレーム202の連結用の回転軸251において、上傾動フレーム202側にユニバーサルジョイント等を介設し、上傾動フレーム202の上端部にジャッキ等の上下駆動機構を設けて、上傾動フレーム202を傾動可能にして、寝たきり患者の食事や読書等に適用することができる。
【産業上の利用可能性】
【００１７】
本考案は、上述のように堅牢な構造体であり、優れた作用効果を呈するものであり、一般家庭、老人ホーム、医療機関等におけるストレッチベッド、介護ベッド、療養ベッドなどに広く適用普及することができるので、この種産業界に多大な貢献をもたらすものである。
【図面の簡単な説明】
【００１８】
【図１】本考案の実施例１の側面説明図である。
【図２】実施例１の平面説明図である。
【図３】実施例１の図１の右側から見た一部断面の正面説明図である。
【図４】図３に示す状態から下傾動フレーム201と上傾動フレーム202を逆に傾動させた状態を示す正面説明図である。
【図５】実施例２の平面説明図である。
【符号の説明】
【００１９】
100            マット式ベッド
101            脚部
102            ベッド基台
31-1、232-1    十字軸
31、232        ユニバーサルジョイント(回転自在継手)
200            寝床マット
201            下傾動フレーム
202            上傾動フレーム
210           パイプ式の伸縮縦フレーム
203、204       回転軸
300            回転傾動駆動機構
301            電動モータ
302            歯車減速機構
303            回転駆動軸
304、305       円盤クランク
306、307       クランクボックス
400            脚部用の折り畳み枠
403            足枕部
【図１】
0003147011.tif 000003
【図２】
0003147011.tif 000004
【図３】
0003147011.tif 000005
【図４】
0003147011.tif 000006
【図５】
0003147011.tif 000007